(57)【特許請求の範囲】
【請求項１】
物品を着脱自在に支持して陳列する受け台を有する走行移動可能な移動スタンドの移動防止装置であって、
前記受け台に取り付けられる足かけ部材を備え、
前記足かけ部材は、前記受け台の設置床面と対向するストッパー部を有し、該ストッパー部を前記受け台に対して前記設置床面に向け接近又は離隔するように移動可能に取り付け、作業者の踏み付けに伴って前記設置床面に圧接するように配置したことを特徴とする移動防止装置。
【請求項２】
前記足かけ部材は、前記受け台に対して着脱自在に係止される係止部を有し、該係止部で前記ストッパー部を前記受け台の内部又は外部のいずれにも配置されるように取り付けたことを特徴とする請求項１記載の移動防止装置。
【請求項３】
前記足かけ部材が帯状板材から構成され、該帯状板材の一端に前記ストッパー部を折曲形成し、該帯状板材の他端に前記係止部を形成したことを特徴とする請求項２記載の移動防止装置。
【請求項４】
請求項１、２又は３記載の移動防止装置と、前記受け台とからなる移動スタンドであって、
前記受け台は、前記物品を着脱自在に支持して陳列する支持部を有していることを特徴とする移動スタンド。
【発明の詳細な説明】
【技術分野】
【０００１】
本発明は、例えばホースやチューブやロープなどの長尺物品を店頭などで陳列しながら適宜長さ分だけ引き出して販売するために用いられる陳列什器や、その他の物品を陳列するスタンドなどの走行移動可能な受け台に設けられる移動防止装置、及び、この移動防止装置と受け台とからなる移動スタンドに関する。
【背景技術】
【０００２】
従来、この種の受け台として、支持台上に垂直方向へ平行に枠組される並列な複数のスタンド枠の前面に夫々受け具を設け、これら受け具に亙ってホースボビンの支持軸を着脱自在に横架することにより、ホースボビンを回転自在に支持したホースボビン用什器がある。
このようなホースボビン用什器の一例として、前記受け具が、一方のスタンド枠に突設したプラグと、他方のスタンド枠に突設したブラケットとを備え、ホースボビンの支持軸の一端にはソケットを突設し、この支持軸の他端にはフックを突設し、前記ソケットを前記プラグに押し込むことで両者が軸線方向へ移動不能に接続され、その後、該プラグを中心として支持軸の側を下方へ揺動することにより、該フックが前記ブラケットの上面に係合して掛止されるものがある（例えば、特許文献１参照）。
【先行技術文献】
【特許文献】
【０００３】
【特許文献１】特開平１０−１５１０５２号公報
【発明の概要】
【発明が解決しようとする課題】
【０００４】
ところで、このようなホースボビン用什器などの受け台は、それが設置される売り場などの環境に応じて移動可能にする必要性がある。
この場合には、受け台の下端部にキャスターなどの移動手段を複数設けることで、走行移動可能に構成される。
しかし乍ら、このような走行移動可能な受け台では、ホースボビンからホースを引き出す際に、移動手段で受け台が移動して、ボビンからホースをうまく引き出せないおそれがある。さらに、受け具などからなる支持部に対し、重いホースボビンなどの物品を挿入させるなどして支持する時に、物品が支持部に突き当たるなど接触すると、その反動により支持部が受け台と共に逃げ移動して、物品をうまく挿入し支持できないおそれがある。
そこで、受け台に設けられる複数の移動手段のうち一部か又は総てを、ストッパー付きのキャスターのような制動機能を有するものにし、これら複数のストッパーを作動させることにより、受け台を走行移動不能に切り換えることが考えられる。
しかし、受け台に設けられる複数の移動手段のうち一部のみを、ストッパー付きのキャスターにした場合には、これらストッパーを手動操作しても、ストッパー機能のないキャスターがフリー状態なので受け台を安定させることができず、ホースボビンの接触により受け台が旋回移動するおそれがある。
また、受け台に設けられる移動手段の総てを、ストッパー付きのキャスターにした場合には、総てのストッパーをそれぞれ手動で操作する作業は面倒であり、簡単で素早く走行移動不能に切り換えることができず、受け台の支持部に対してホースボビンを簡単で素早くセットしたり、交換することができないという問題がある。
【０００５】
本発明は、このような問題に対処することを課題とするものであり、走行移動可能な受け台に対する物品の支持時において受け台を簡単でしかも確実に固定可能な移動防止装置を提供すること、受け台の支持部に対する物品の支持時において受け台を簡単でしかも確実に固定可能な移動スタンドを提供すること、などを目的とするものである。
【課題を解決するための手段】
【０００６】
このような目的を達成するために本発明による移動防止装置は、物品を着脱自在に支持して陳列する受け台を有する走行移動可能な移動スタンドの移動防止装置であって、前記受け台に取り付けられる足かけ部材を備え、前記足かけ部材は、前記受け台の設置床面と対向するストッパー部を有し、該ストッパー部を前記受け台に対して前記設置床面に向け接近又は離隔するように移動可能に取り付け、作業者の踏み付けに伴って前記設置床面に圧接するように配置したことを特徴とする。
【０００７】
また本発明による移動スタンドは、前記移動防止装置と、前記受け台とからなる移動スタンドであって、前記受け台は、前記物品を着脱自在に支持する支持部を有していることを特徴とする。
【発明の効果】
【０００８】
前述した特徴を有する本発明による移動防止装置は、受け台に対して物品を支持する時に、作業者が足かけ部材を踏み付け、そのストッパー部を設置床面に圧接させることにより、足かけ部材のストッパー部と設置床面との間に摩擦抵抗が発生して、受け台が一時的に走行移動不能に切り替わり固定されるので、走行移動可能な受け台に対する物品の支持時において受け台を簡単でしかも確実に固定することができる。
その結果、受け台に設けられる複数の移動手段のうち一部をストッパー付きのキャスターなどにしたものに比べ、受け台の支持部に対する物品の挿入支持方向がいずれであっても受け台を固定して安定させることができ、物品の接触による支持部の逃げ移動を完全に防止できる。
また、受け台に設けられる総ての移動手段をストッパー付きのキャスターなどにしたものに比べ、ストッパーを手動操作する必要がなく、受け台の支持部に対して物品を簡単で素早くセットしたり、交換することができて使用勝手に優れる。
【０００９】
また、前述した特徴を有する本発明による移動スタンドは、受け台の支持部に対して物品を支持する時に、作業者が靴底で足かけ部材を踏み付け、そのストッパー部を設置床面に圧接させることにより、足かけ部材のストッパー部と設置床面との間に摩擦抵抗が発生して、受け台が一時的に走行移動不能に切り替わり固定されるので、受け台の支持部に対する物品の支持時において受け台を簡単でしかも確実に固定することができる。
その結果、受け台のキャスターを総て手動操作してストッパーを掛けないと走行移動不能に切り換えることができない従来のものに比べ、受け台の支持部に対して物品を簡単で素早くセットしたり、交換することなどができて使用勝手に優れる。
【図面の簡単な説明】
【００１０】
【図１】本発明の実施形態に係る移動防止装置及び移動スタンドを示す斜視図で、物品の支持時を示している。
【図２】物品の支持後を示す斜視図である。
【発明を実施するための形態】
【００１１】
以下、本発明の実施形態を図面に基づいて詳細に説明する。
本発明の実施形態に係る移動防止装置Ａは、図１及び図２に示すように、物品Ｃを着脱自在に支持する走行移動可能な受け台Ｂに設けられ、受け台Ｂに対して作業者の足裏や靴底などの操作面Ｓと対向するように取り付けられる足かけ部材１を備えている。
さらに、本発明の実施形態に係る移動スタンドは、移動防止装置Ａと、受け台Ｂとを備え、受け台Ｂは、物品Ｃを着脱自在に支持する支持部２を有している。物品Ｃは、例えばホースやチューブ、ロープや紐、チェーン、電線などの長尺物品か又は、その他の物品からなる。
【００１２】
受け台Ｂは、上下（鉛直）方向へ延びる機枠Ｂ１を有している。この機枠Ｂ１は、例えば金属などの剛性材料からなる杆材や棒材や板材又はそれらの組み合わせなどで構成される。
機枠Ｂ１には、物品Ｃを支持するための後述する支持部２が取り付けられる。
図１及び図２に示される例では、受け台Ｂの機枠Ｂ１が、上下方向へ延びる複数の柱部材Ｂ２と、水平方向へ延びる複数の桟部材Ｂ３を相互に連結することで、上下方向へ所定間隔毎に桟部材Ｂ３を配置した四角柱状に形成されている。
機枠Ｂ１の下端部には、台座Ｂ４が連設され、この台座Ｂ４は、複数の杆材や棒材や板材又はそれらの組み合わせなどを格子状枠組するか、或いは平板状に連結することなどで形成されている。台座Ｂ４には、受け台Ｂの移動手段Ｂ５として複数のキャスターなどが取り付けられている。
また、その他の例として図示しないが、機枠１ａを四角柱状に代えて三角柱状や多角柱状又は円柱状に形成することも可能である。
【００１３】
物品Ｃは、例えばホースやチューブ、ロープや紐、チェーン、電線などの長尺物品か又は、その他の物品からなる。
図１及び図２に示される例では、物品Ｃは、ホースやチューブなどの長尺物品Ｃ１と、長尺物品Ｃ１が巻き取られるボビンＣ２とから構成されている。ボビンＣ２は、後述する支持部２が挿通される円筒状の芯筒（中芯）Ｃ３を有し、芯筒Ｃ３の外周面に沿って長尺物品Ｃ１が巻き取られている。そして、ボビンＣ２は、芯筒Ｃ３の内周面に沿って後述する支持部２に挿入して係止させることにより、ボビンＣ２のセット及び交換が行われるとともに、長尺物品Ｃ１の引き出しに伴って回転自在に支持される場合を示している。さらに、ボビンＣ２の構成材料としては、例えば段ボールや厚紙を用いるか、又は合成樹脂などを用いることが好ましい。芯筒Ｃ３の両端には、一対のフランジＣ４を周設することが好ましい。
【００１４】
足かけ部材１は、受け台Ｂの設置床面Ｆと対向するストッパー部１ａを有し、ストッパー部１ａを設置床面Ｆに対して接地可能に配置している。つまり、ストッパー部１ａは、設置床面Ｆに対して接離動自在、すなわち接近又は離隔するように移動可能に取り付けられるか、又は設置床面Ｆと接触するように配置され、作業者が足裏や靴底などの操作面Ｓで足踏みして体重を掛けることにより、ストッパー部１ａの裏面が設置床面Ｆに圧接して、両者間に大きな摩擦抵抗が発生するようにしている。
さらに、足かけ部材１は、受け台Ｂに対して着脱自在に係止される係止部１ｂを有し、係止部１ｂでストッパー部１ａを受け台Ｂの内部又は外部のいずれにも配置されるように取り付けることが好ましい。
図１及び図２に示される例では、金属板や硬質合成樹脂板などの剛性部材又は弾性変形可能な材料からなる帯状板材を略Ｓ字型に折り曲げるか又は型成形などにより、その一端にストッパー部１ａが一体形成されるとともに、他端には受け台Ｂの台座Ｂ４を構成する杆材や棒材などと着脱自在に係合する係止部１ｂとしてフックが一体形成され、台座Ｂ４に係止部１ｂとなるフックを係合した状態で、作業者がストッパー部１ａの表面を足踏みして体重を掛けることにより、ストッパー部１ａや係止部１ｂの僅かな弾性変形や台座Ｂ４との取り付け部に生じる遊びなどで、ストッパー部１ａの裏面が設置床面Ｆへ向け接近移動して圧接するように配置している。
また、その他の例として図示しないが、フックなどの係止部１ｂに代えて、台座Ｂ４に対し上下方向へ往復動自在に支持されるスライド部をストッパー部１ａに連設し、作業者がストッパー部１ａの表面を足踏みして体重を掛けることにより、台座Ｂ４に対し前記スライド部が下動して、ストッパー部１ａの裏面が設置床面Ｆへ向け沈み込み圧接するように配置したり、予めストッパー部１ａが設置床面Ｆと接触するように配置することも可能である。
【００１５】
このような本発明の実施形態に係る移動防止装置Ａ及び移動スタンドによると、図１に示すように、例えばボビンＣ２のセット時や交換時などのように、受け台Ｂに対して物品Ｃを支持する時に、作業者が足裏や靴底などの操作面Ｓで足かけ部材１を踏み付け、そのストッパー部１ａを設置床面Ｆに圧接させると、足かけ部材１のストッパー部１ａと設置床面Ｆとの間に摩擦抵抗が発生して、受け台Ｂが一時的に走行移動不能に切り替わり固定される。
それにより、受け台Ｂに対する物品Ｃの支持時において受け台Ｂを簡単でしかも確実に固定することができる。
【００１６】
さらに、足かけ部材１は、受け台Ｂに対して着脱自在に係止される係止部１ｂを有し、係止部１ｂでストッパー部１ａを受け台Ｂの内部又は外部のいずれにも配置されるように取り付けた場合には、受け台Ｂに対して物品Ｃを支持する時のみ、係止部１ｂでストッパー部１ａを受け台Ｂの外部に配置し、それ以外の足かけ部材１が不必要な時には、図２に示すように、係止部１ｂでストッパー部１ａが受け台Ｂの内部へ移動可能となる。
それにより、足かけ部材１の不使用時に収納することができる。
その結果、足かけ部材１の分だけ専有スペースが狭くなって邪魔にならず、専有面積の狭い売り場に好適である。
【００１７】
また、足かけ部材１が帯状板材から構成され、該帯状板材の一端にストッパー部１ａを折曲形成し、該帯状板材の他端に係止部１ｂを形成した場合には、足かけ部材１を構成する帯状板材の両端にストッパー部１ａと係止部１ｂが配置される。
それにより、足かけ部材１を簡単な構造にすることができる。
その結果、受け台Ｂに対する取り付けがシンプルで取り扱いが容易であるとともに、コストを安価にすることができる。
次に、本発明の一実施例を図面に基づいて説明する。
【実施例】
【００１８】
この実施例は、図１及び図２に示すように、受け台Ｂが、柱状に形成された機枠Ｂ１の複数の表面に支持部２を上下方向へ複数個ずつ配置し、これらの支持部２に対し、物品Ｃとして長尺物品Ｃ１が巻かれたボビンＣ２を挿入して係止させることにより、ボビンＣ２のセット及び交換がそれぞれ行われるとともに、長尺物品Ｃ１の引き出しに伴って回転自在に支持されるものである。
さらに、機枠Ｂ１の台座Ｂ４には、受け台Ｂの移動手段Ｂ５として、ストッパー付きのキャスターとストッパー機能のないキャスターを複数個ずつ取り付けている。
【００１９】
図１及び図２に示される例では、機枠Ｂ１の背中合わせとなる両面に、複数種類の支持部２を３個ずつそれぞれ高さ調整自在に取り付け、これらの支持部２に対して外径の異なるボビンＣ２をそれぞれ回転自在に支持している。
機枠Ｂ１の台座Ｂ４は、四角枠状に形成され、後述する支持部２の支持ローラ２ａと略平行に配置される一組の辺に、受け台Ｂの移動手段Ｂ５としてストッパー付きのキャスターとストッパー機能のないキャスターを２個ずつ計４個配置している。
また、その他の例として図示しないが、上下方向へ２個又は４個以上の支持部２をそれぞれ高さ調整自在に取り付けるか又は固定配置したり、台座Ｂ４を四角枠状に代えて三角枠状や多角枠状又は円板状などの他の形状に形成したり、複数の移動手段Ｂ５の総てをストッパー付きのキャスターにすることも可能である。
【００２０】
支持部２は、ボビンＣ２の芯筒Ｃ３に貫通状に挿通されて芯筒Ｃ３の内周面と対向する支持ローラ２ａを有し、受け台Ｂの機枠Ｂ１に対して支持ローラ２ａを複数、それぞれの先端部２ｂが自由端となるとともに、それぞれの基端が固定端となるように片持ち状に突出させて取り付けている。
支持ローラ２ａは、遊転自在な回転面２ｃを有し、この遊転自在な回転面２ｃをそれぞれ芯筒Ｃ３の内周面において異なる個所に当接するように略平行に並べて配置されている。支持ローラ２ａの並列方向としては、ボビンＣ２の芯筒Ｃ３に巻かれた長尺物品Ｃ１を引き出し方向、すなわち横（略水平）方向に配置することが好ましい。
支持ローラ２ａの回転面２ｃとしては、支軸の外側に管体又は円筒体を回転自在に嵌挿するか、或いは円柱体を回転自在に支持することが好ましい。
【００２１】
支持ローラ２ａの先端部２ｂ側には、受け台Ｂの機枠Ｂ１へ向けて斜め下方へ延びる支えアーム３を設け、この支えアーム３の下端を受け台Ｂ、詳しくはその機枠Ｂ１やそれに取り付けられる付属部品などに連結することで、支持ローラ２ａの取り付け状態を補強することが好ましい。
【００２２】
さらに、２本の支持ローラ２ａをそれらの間に間隔が空くように配置し、芯筒Ｃ３の内周面において支持ローラ２ａの当接個所とは異なる個所に当接する補助当接部４を設け、補助当接部４と支持ローラ２ａとで芯筒Ｃ３の内周面が三点支持されるように配置することが好ましい。
【００２３】
図１及び図２に示される例では、支持部２は、略平行に並んだ２本の支持ローラ２ａと、支持ローラ２ａの基端側に設けられるＴ字型のブラケット２ｄと、支持ローラ２ａの先端側に設けられるプレート２ｅとで構成され、支持ローラ２ａの先端部２ｂ側からブラケット２ｄの下端部に亘って、杆材や板材又は棒材などからなる支えアーム３を架設し、支えアーム３の端部をそれぞれ連結している。
支持ローラ２ａは、ブラケット２ｄの上端部とプレート２ｅとの間に挟持され、その遊転自在な回転面２ｃとして、支軸（図示しない）の外側に、環状の凹凸部が軸線方向へ連続して形成される管体を遊転自在に嵌挿している。
ブラケット２ｄの上端部とプレート２ｅとの間には、棒材や杆材又は板材などからなる補強部材２ｆを、支持ローラ２ａと略平行に１本又は複数本設けて、ブラケット２ｄとプレート２ｅと間を所定間隔に保持するとともに、支持部２を横方向から見た状態で、ブラケット２ｄと補強部材２ｆと支えアーム３が略三角形となるように配置することが好ましい。
さらに、支えアーム３には、芯筒Ｃ３の内周面に当接する補助当接部４を設けることが好ましい。
補助当接部４の具体例としては、支えアーム３においてブラケット２ｄの下端部に連結される下端の連結部分を、芯筒Ｃ３の内周面に当接する補助当接部４とすることが好ましい。
【００２４】
そして、複数種類の支持部２としては、図１及び図２に示されるように、長さが異なる支えアーム３を備えたものや、補助当接部４の構造が異なるものを取り付けている。
支持部２の一例としては、支えアーム３の上端部をプレート２ｅと補強部材２ｆとの間に挟み込んで取り付け、支えアーム３の下端部とブラケット２ｄの下端部との連結部分に、補助当接部４として補助ローラ４ａを、支持ローラ２ａと略平行となるように遊転自在に配置している。補助ローラ４ａとしては、支軸（図示しない）の外側に、環状の凹凸部が軸線方向へ連続して形成される管体を遊転自在に嵌挿している。
支持部２の変形例としては、支えアーム３の上端部を補強部材２ｆの先端側に挿入して取り付け、支えアーム３の下端部をブラケット２ｄの下端部に沿って折り曲げ、例えば溶着などで固定するとともに、ブラケット２ｄの下端部における折り曲げ部分４ｂを、芯筒Ｃ３の内周面に当接する補助当接部４としている。
【００２５】
機枠Ｂ１に対する支持部２の高さ調整手段５としては、図１及び図２に示されるように、Ｔ字型のブラケット２ｄにおいて上端部の裏面に鉤型のフック５ａを設け、このフック５ａに向けてネジなどの固定部材（図示しない）を往復動自在に支持し、機枠Ｂ１において上下方向へ複数配置される桟部材Ｂ３に対し、ブラケット２ｄのフック５ａを係止させ、ネジなどの固定部材で挟持することにより、支持部２を着脱自在に取り付けることが好ましい。
また、その他の例として図示しないが、支持部２の高さ調整手段５として、フック５ａやネジなどに代えて従来周知な着脱手段を設けることも可能である。
【００２６】
さらに、支持部２には、図２に示されるように、複数の支持ローラ２ａに対し、その先端部２ｂ側からボビンＣ２を挿入してボビンＣ２の芯筒Ｃ３が回転自在に係止された状態で、ボビンＣ２からの長尺物品Ｃ１の引き出しなどによって複数の支持ローラ２ａからボビンＣ２が抜け出して落下することを防止するための手段として、ボビンＣ２の落下防止手段６を設けることが好ましい。
ボビンＣ２の落下防止手段６は、支持ローラ２ａの先端部２ｂ側に落下防止材用の突起部６ａを有し、突起部６ａの少なくとも一部がボビンＣ２のフランジＣ４などに突き当たることで、支持ローラ２ａからボビンＣ２が抜け出ることを防止している。
図１及び図２に示される例では、ボビンＣ２の落下防止手段６として、金属棒などを逆Ｕ字型に屈曲した落下防止材用の突起部６ａと、突起部６ａの基端が着脱自在に嵌挿される孔状の保持部６ｂとを備え、孔状の保持部６ｂをプレート２ｅに形成し、支持部２となる複数の支持ローラ２ａにボビンＣ２を挿入して回転自在に係止された後に、突起部６ａを孔状の保持部６ｂに挿着することで、突起部６ａの先端がボビンＣ２のフランジＣ４に当接して、支持ローラ２ａからボビンＣ２が抜け出ることを防止している。
また、その他の例として図示しないが、落下防止材用の突起部６ａを略コの字形などの他の形状に形成したり、落下防止材用の突起部６ａを板材などで形成することも可能である。
【００２７】
このような本発明の実施例に係る移動防止装置Ａ及び移動スタンドによると、図１及び図２に示されるように、柱状に形成された機枠Ｂ１の複数面に支持部２を上下方向へ複数個ずつ配置したので、多数の長尺物品Ｃ１が巻かれたボビンＣ２をコンパクトに回転自在に支持することができて、専有面積の狭い売り場に好適であるという利点がある。
【００２８】
さらに、機枠Ｂ１の各支持部２に対してボビンＣ２をそれぞれセットする時や交換する時には、図１に示されるように、足かけ部材１のストッパー部１ａを係止部１ｂで受け台Ｂの台座Ｂ４の外側に取り付けた後に、作業者が足裏や靴底などの操作面Ｓで足かけ部材１のストッパー部１ａを踏み付けるだけで、ストッパー部１ａの裏面が設置床面Ｆに圧接して、受け台Ｂ全体が走行移動不能に固定される。
それにより、図示例のように受け台Ｂに取り付けられる複数の移動手段Ｂ５のうち一部のみがストッパー付きのキャスターで、残りがストッパー機能のないキャスターである場合において、各支持部２の支持ローラ２ａに対して重いボビンＣ２を突き当てるなど接触させたとしても、受け台Ｂがストッパー機能のないキャスターにより旋回移動せず、安定した状態で、ボビンＣ２のセット及び交換が行える。
各支持部２に対するボビンＣ２のセットや交換が完了した後は、図２に示すように、足かけ部材１の係止部１ｂを取り外してストッパー部１ａを受け台Ｂの内側に収納すれば、受け台Ｂの台座Ｂ４がコンパクトになって狭いスペースでも配置できるという利点がある。
【００２９】
なお、前示実施例では、受け台Ｂが、柱状に形成された機枠Ｂ１の複数の表面に支持部２を上下方向へ複数個ずつ配置し、これらの支持部２に対し、物品Ｃとして長尺物品Ｃ１が巻かれたボビンＣ２を、それぞれ回転自在に支持したが、これに限定されず、受け台Ｂの機枠Ｂ１を柱状に代えて面状などに形成したり、機枠Ｂ１の一面のみに複数の支持部２を配置したり、機枠Ｂ１として一般にゴンドラ什器と呼ばれる什器などを利用することも可能である。
このゴンドラ什器とは、少なくとも２本以上の縦柱が左右方向へ所定間隔を置いて互いに略平行に立設されるとともに、これら縦柱の間に支持バーを水平状に架け渡すことで構成され、該支持バーに支持部２を支持しても良い。
さらに、物品Ｃは、ホースやチューブなどの長尺物品Ｃ１と、長尺物品Ｃ１が巻き取られるボビンＣ２に限定されず、ボビンＣ２を使わずに環状に巻き付けられた長尺物品Ｃ１に代えたり、これらの長尺物品Ｃ１ではなく梱包された物品やその他の物品など、走行移動可能な受け台Ｂに対して着脱自在に支持されるものであれば、どのようなものであっても良い。
【符号の説明】
【００３０】
Ａ  移動防止装置                        １  足かけ部材
１ａ  ストッパー部                      １ｂ  係止部
Ｂ  受け台                              ２  支持部
Ｃ  物品                                Ｆ  設置床面
【図１】
0005494970.tif 000002
【図２】
0005494970.tif 000003